(57)【要約】      （修正有）【課題】折り畳みやすく、携帯に便利な手持ちトレーニング器具を提供する。【解決手段】手持ちトレーニング器具は、第一アセンブリ１０と、第二アセンブリ２０と、差し込み栓３０とを含む。第一アセンブリの一端にグリップ１１があり、グリップに多数のマッサージ突起が分布し、第一アセンブリの他端に第一当て面１２と、第二当て面１３と、枢接ブロック１４とが設けられる。枢接ブロックに第一挿入孔と多数の位置決め孔が設けられ、第二アセンブリの一端にはマッサージ部２１が設けられ、他端に第一接触面２２と、第二接触面２３と、枢接耳２５とが設けられる。中央部にカーブ部があり、枢接耳に第二差し込み孔が設けられ、第二当て面の内側に多数の位置決め凸部が設けられ、枢接ブロックを枢接耳の間に位置させ、さらに第一差し込み孔と第二差し込み孔とを合わせ、差し込み栓を差し込むことで、第一、第二アセンブリが組み合わされる。【選択図】図２
0003225105.tif 000002
【実用新案登録請求の範囲】
【請求項１】
第一アセンブリと、第二アセンブリと、差し込み栓とを含む折り畳みやすい手持ちトレーニング器具であって、
前記第一アセンブリの一端にグリップがあり、前記グリップに複数のマッサージ突起が分布し、また前記第一アセンブリの他端に二つの第一当て面と、二つの第二当て面と、枢接ブロックとが設けられ、前記枢接ブロックに第一挿入孔と多数の位置決め孔とが設けられ、
前記第二アセンブリの一端にマッサージ部が設けられ、他端に二つの第一接触面と、二つの第二接触面と、二つの枢接耳とが設けられ、中央部にカーブ部があり、前記二つの枢接耳に第二差し込み孔がそれぞれ設けられ、その内側にそれぞれ多数の位置決め凸部が設けられ、前記枢接ブロックを前記二つの枢接耳の間に位置させ、さらに前記第一差し込み孔と前記第二差し込み孔を合わせ、前記差し込み栓を差し込むことで、前記第一アセンブリと前記第二アセンブリとが互いに組み合わされ、手持ちトレーニング器具を使用する時、前記第二アセンブリを展開させ、展開された後、前記第一接触面は前記第一当て面に当て、さらに前記位置決め凸部と前記位置決め孔との組み合わせによって展開後に固定され、掌で前記グリップを握れば、前記マッサージ部を使って、背中または肩、首を叩いたり、マッサージしたりでき、使用終了後、前記第二アセンブリを反対方向へ折り畳んで、前記第二接触面を第二当て面に当て、さらに前記位置決め凸部と前記位置決め孔との組み合わせによって折り畳んだ後に固定されることを特徴とする折り畳みやすい手持ちトレーニング器具。
【請求項２】
前記マッサージ部はフック状を呈することを特徴とする請求項１の折り畳みやすい手持ちトレーニング器具。
【考案の詳細な説明】
【技術分野】
【０００１】
本考案はトレーニング器具に関し、特に折り畳みやすい手持ちトレーニング器具に関する。
【背景技術】
【０００２】
現在市販される手持ちトレーニング器具の多くは一体固定式であって、グリップがあり、該グリップよりカーブ部が延伸され、また該カーブ部の頂端にマッサージ部がある。該マッサージ部にマッサージ端があり、使用する時は該マッサージ端を背中、肩に当てて動かし、または該マッサージ端を利用して背中、肩を叩くことによって、マッサージ及びトレーニングの効果が得られる。
【０００３】
しかし、上述のような手持ちトレーニング器具は実際に使用する時は以下の問題点が存在する。上述の手持ちトレーニング器具の構造は一体固定式であるため、使用終了後の収納において不便であり、外へ持ち出すのも便利ではない。
【０００４】
従って、上述のような従来の手持ちトレーニング器具における欠点について研究改良することは実に関係業界が努力して解決すべき目標であるため、本考案者はこれを機に創作の意思を起こし、長年の経験により設計し、多方面に追究しながら試作品をつくり、また多数回にわたる修正改良の結果、本考案を得た。
【考案の概要】
【考案が解決しようとする課題】
【０００５】
従来のトレーニング器具の構造は一体固定式であるため、使用終了後に収納する際はかさばるだけでなく、外へ持ち出す時のも不便といった問題点について解決し、折り畳みやすい手持ちトレーニング器具を提供する。
【課題を解決するための手段】
【０００６】
折り畳みやすい手持ちトレーニング器具は、第一アセンブリと、第二アセンブリと、差し込み栓とを含む。そして、上述第一アセンブリの一端にグリップがあり、上述グリップに満遍なく多数のマッサージ突起が分布する。また上述第一アセンブリの他端に二つの第一当て面と、二つの第二当て面と、枢接ブロックとが設けられる。上述枢接ブロックに第一挿入孔と多数の位置決め孔とが設けられ、上述第二アセンブリの一端にマッサージ部が設けられ、他端に二つの第一接触面と、二つの第二接触面と、二つの枢接耳とが設けられる。中央部にカーブ部があり、上述二つの枢接耳に第二差し込み孔がそれぞれ設けられ、その内側にそれぞれ多数の位置決め凸部が設けられる。上述枢接ブロックを上述二つの枢接耳の間に位置させ、さらに上述第一差し込み孔と上述第二差し込み孔とを合わせ、上述差し込み栓を差し込むことで、上述第一アセンブリと上述第二アセンブリとが互いに組み合わされる。手持ちトレーニング器具を使用する時、上述第二アセンブリを展開させ、展開された後、上述第一接触面は上述第一当て面に当て、さらに上述位置決め凸部と上述位置決め孔との組み合わせによって展開後に固定され、掌で上述グリップを握れば、上述マッサージ部を使って、背中または肩、首を叩いたり、マッサージしたりできる。使用終了後、上述第二アセンブリを反対方向へ折り畳んで、上述第二接触面を第二当て面に当て、さらに上述位置決め凸部と上述位置決め孔との組み合わせによって折り畳んだ後に固定されることで、収納時において空間を節約できるため、折り畳みやすい手持ちトレーニング器具が得られる。
【図面の簡単な説明】
【０００７】
【図１】図１は、本考案に係る折り畳みやすい手持ちトレーニング器具を示す立体構造図である。
【図２】図２は、本考案に係る折り畳みやすい手持ちトレーニング器具を示す立体分解図である。
【図３】図３は、本考案に係る折り畳みやすい手持ちトレーニング器具を上から見た状態を示す断面図である。
【図４】図４は、本考案に係る折り畳みやすい手持ちトレーニング器具を前から見た状態を示す断面図である。
【図５】図５は、本考案のトレーニング器具が展開後にマッサージを行う状態を示す図である。
【図６】図６は、本考案を手でグリップを握る時についでに掌をマッサージする状態を示す図である。
【考案を実施するための形態】
【０００８】
まず、図１から図４を参照されたい。折り畳みやすい手持ちトレーニング器具は、第一アセンブリ（１０）と、第二アセンブリ（２０）と、差し込み栓（３０）とを含む。そして、上述第一アセンブリ（１０）の一端にグリップ（１１）があり、上述グリップ（１１）に満遍なく多数のマッサージ突起（１１１）が分布する。また上述第一アセンブリ（１０）の他端に二つの第一当て面（１２）と、二つの第二当て面（１３）と、枢接ブロック（１４）とが設けられる。上述枢接ブロック（１４）に第一挿入孔（１４１）と多数の位置決め孔（１４２）とが設けられ、上述第二アセンブリ（２０）の一端にマッサージ部（２１）が設けられ、他端に二つの第一接触面（２２）と、二つの第二接触面（２３）と、二つの枢接耳（２５）とが設けられる。中央部にカーブ部（２４）があり、上述二つの枢接耳（２５）に第二差し込み孔（２５１）がそれぞれ設けられ、その内側にそれぞれ多数の位置決め凸部（２５２）が設けられる。上述枢接ブロック（１４）を上述二つの枢接耳（２５）の間に位置させ、さらに上述第一差し込み孔（１４１）と上述第二差し込み孔（２５１）とを合わせ、上述差し込み栓（３０）を差し込むことで、上述第一アセンブリ（１０）と上述第二アセンブリ（２０）とが互いに組み合わされる。
【０００９】
続いで、図１から図５を参照されたい。手持ちトレーニング器具を使用する時、上述第二アセンブリ（２０）を展開させ、展開された後、上述第一接触面（２２）は上述第一当て面（１２）に当て、さらに上述位置決め凸部（２５２）と上述位置決め孔（１４２）との組み合わせによって展開後に固定され、掌で上述グリップ（１１）を握れば、上述マッサージ部（２１）を使って、背中または肩、首を叩いたり、マッサージしたりできる。使用終了後、上述第二アセンブリ（２０）を反対方向へ折り畳んで、上述第二接触面（２３）を第二当て面（１３）に当て、さらに上述位置決め凸部（２５２）と上述位置決め孔（１４２）との組み合わせによって折り畳んだ後に固定されることで、収納時において空間を節約できる。
【００１０】
さらに、図６を参照されたい。掌で上述グリップ（１１）を握る時、上述握り部（１１）にある多数のマッサージ突起（１１１）によって掌をマッサージする。
【００１１】
本考案は折り畳みやすい手持ちトレーニング器具を提供し、そして、上述マッサージ部（２１）はフック状である。
【００１２】
上述の構造によると、この構造は上述枢接ブロック（１４）と上述枢接耳（２５）との組み合わせによって、上述第一アセンブリ（１０）と上述第二アセンブリ（２０）が互いに組み合わせることで、展開と折り畳めるため、収納時において空間を節約できる。
以上は、本考案に係る実施例の一部に過ぎないため、本考案の実施範囲を制限するものではない。即ち、本実用新案請求の範囲内で行われる変化、修飾なども本考案の範囲に属すべきである。
【符号の説明】
【００１３】
本考案：
（１０）          第一アセンブリ
（１１）          グリップ
（１１１）        マッサージ突起
（１２）          第一当て面
（１３）          第二当て面
（１４）          枢接ブロック
（１４１）        第一挿入孔
（１４２）        位置決め孔
（２０）          第二アセンブリ
（２１）          マッサージ部
（２２）          第一接触面
（２３）          第二接触面
（２４）          カーブ部
（２５）          枢接耳
（２５１）        第二挿入孔
（２５２）        位置決め凸部
（３０）          差し込み栓
【図１】
0003225105.tif 000003
【図２】
0003225105.tif 000004
【図３】
0003225105.tif 000005
【図４】
0003225105.tif 000006
【図５】
0003225105.tif 000007
【図６】
0003225105.tif 000008
【手続補正書】
【提出日】令和1年12月4日(2019.12.4)
【手続補正１】
【補正対象書類名】実用新案登録請求の範囲
【補正対象項目名】全文
【補正方法】変更
【補正の内容】
【実用新案登録請求の範囲】
【請求項１】
第一アセンブリと、第二アセンブリと、差し込み栓とを含む折り畳みやすい手持ちトレーニング器具であって、
前記第一アセンブリの一端にグリップがあり、前記グリップに複数のマッサージ突起が分布し、また前記第一アセンブリの他端に二つの第一当て面と、二つの第二当て面と、枢接ブロックとが設けられ、前記枢接ブロックに第一挿入孔と多数の位置決め孔とが設けられ、
前記第二アセンブリの一端にマッサージ部が設けられ、他端に二つの第一接触面と、二つの第二接触面と、二つの枢接耳とが設けられ、中央部にカーブ部があり、前記二つの枢接耳に第二挿入孔がそれぞれ設けられ、その内側にそれぞれ多数の位置決め凸部が設けられ、前記枢接ブロックを前記二つの枢接耳の間に位置させ、さらに前記第一挿入孔と前記第二挿入孔を合わせ、前記差し込み栓を差し込むことで、前記第一アセンブリと前記第二アセンブリとが互いに組み合わされ、手持ちトレーニング器具を使用する時、前記第二アセンブリを展開させ、展開された後、前記第一接触面は前記第一当て面に当て、さらに前記位置決め凸部と前記位置決め孔との組み合わせによって展開後に固定され、掌で前記グリップを握れば、前記マッサージ部を使って、背中または肩、首を叩いたり、マッサージしたりでき、使用終了後、前記第二アセンブリを反対方向へ折り畳んで、前記第二接触面を第二当て面に当て、さらに前記位置決め凸部と前記位置決め孔との組み合わせによって折り畳んだ後に固定されることを特徴とする折り畳みやすい手持ちトレーニング器具。
【請求項２】
前記マッサージ部はフック状を呈することを特徴とする請求項１の折り畳みやすい手持ちトレーニング器具。